(57)【要約】本発明は、一般的な言語辞書として利用できるポータブル文字解釈用言語辞書に関するものである。前記辞書の頁は、辞書のすべての頁中における単語または句を含めた文の区別なしに、英語のアルファベットのような順序に従って理解可能言語の文字を設定する頁部の束（V）であるか、または英語のアルファベットのような順序に従って単語のみを設定する単語頁（１ａ）と、英語のアルファベットのような順序に従って句を含めた文のみを設定する文頁（１ｂ）に分割されているのもであって、前記頁（１’、１ａおよび１ｂ）の各紙葉の表面（２）には、会話や意思の疎通に自在に使用できる言語としての理解可能言語のすべての文字（３）またはその単語（３０）および文（３０’）に分離されている文字が前記辞書の第１紙葉の表面（２）から最終紙葉の表面にわたって英語のアルファベットのような順序に従って設定されており、前記頁（１’、１ａおよび１ｂ）の各紙葉の裏面（２ａ）には、会話に使用できない現地言語（特定現地で使用される言語）のすべての文字（４）またはその単語（４０）および文（４０'）に分離されている文字が前記辞書の最終紙葉の裏面（２ａ）からその第１紙葉の裏面にわたって英語のアルファベットのような順序に従って設定されているが、理解可能言語（３）の当該すべての文字（３）またはその単語（３０）および文（３０’）の文字とは別に、当該理解可能言語の当該現地言語の意味に対応するすべての文字（４）またはその単語（４０）および文（４０’）が裏側に示されるようにそれぞれ設定されており、さらに当該現地言語のすべての文字（４）またはその単語（４０）および文（４０’）の文字とは別に、当該現地言語の意味に対応する当該理解可能言語のすべての文字（３）またはその単語（３０）および文（３０’）の文字が裏側に示されるようにそれぞれが設定されていることを特徴とする。 よって、観光客または旅行者が国外旅行をする際、本発明に係る前記ポータブル文字解釈用言語辞書は、会話を交わすことなしに現地人との相互理解を促進する上で便利に使用可能である。すなわち、旅行者または観光客が国外旅行をする際に、彼等が理解可能言語と旅行先の現地言語の文字からなる前記ポータブル文字解釈用言語辞書を携帯すると、会話を交わすことなしに、当該辞書に記録された文字によって現地言語を都合良く理解できるようになる。
2008506985.tif 000002
【特許請求の範囲】
【請求項１】
ポータブル文字解釈用言語辞書であって、表裏面のカバー（６、６ａ）とその頁が開閉できるようにバインダー（８）によってバインディングされており、当該辞書の頁中に理解可能言語と現地言語の文字が記録されているポータブル文字解釈用言語辞書であって、
当該辞書の頁（１）が前記辞書のすべての頁において単語または句を含めた文の区別なしに英語のアルファベットのような順序に従って言語の文字を設定するための頁部（１'）の束からなるか、または英語のアルファベットのような順序に従って単語のみを設定する単語頁と、英語のアルファベットのような順序に従って句を含めた文のみを設定する文頁に分割されていることを特徴とするポータブル文字解釈用言語辞書。
【請求項２】
請求項１に係るポータブル文字解釈用言語辞書であって、前記頁部（１'、１ａ）および（１ｂ）の各紙葉の表面（２）では、会話または理解を自在にできる理解可能言語のすべての文字（３）、または単語（３０）および文（３０'）に分離されている文字が、前記辞書の第１紙葉の表面（２）から最終紙葉の表面にわたって英語のアルファベットのような順序に従って設定されており、前記頁部（１',１）および（１ｂ）の各紙葉の裏面（２ａ）では、未知の言語である現地言語のすべての文字（４）、または単語（４０）および文（４０'）に分離された文字が、前記辞書の最終紙葉の裏面（２ａ）からその第１紙葉の裏面にわたって英語のアルファベットのような順序に従って設定されていることを特徴とするポータブル文字解釈用言語辞書。
【請求項３】
請求項２に係るポータブル文字解釈用言語辞書であって、理解可能言語すべての文字（３）またはその単語（３０）および文（３０'）とは別に、当該理解可能言語の意味に対応する当該現地言語のすべての文字（４）またはその単語（４０）および文（４０'）が、裏側に表示されるようにそれぞれ設定されており、当該現地言語のすべての文字（４）またはその単語（４０）および文（４０'）とは別に、当該現地言語の意味に対応する当該理解可能言語のすべての文字（３）またはその単語（３０）および文（３０'）が裏側に示されるようにそれぞれが設定されていることを特徴とするポータブル文字解釈用言語辞書。
【請求項４】
請求項１に係るポータブル文字解釈用言語辞書であって、前記辞書の表面と裏面のカバー（６、６ａ）の内側に、同一数字間で互いに裏側が示されるように数字が記録されている数字表示欄（５）と、金額単位または重量および測定値などの特殊条件が記録されている補遺（９）とが添付されていることを特徴とするポータブル文字解釈用言語辞書。
【発明の詳細な説明】
【技術分野】
【０００１】
本発明はポータブル文字解釈用言語辞書に関するものである。より具体的には、本発明は、旅行者または観光客（下記では観光客または旅行者と呼ぶ）が、旅行者の理解可能言語と、彼等には未知の言語である旅行先地域の現地言語とを収容する前記ポータブル文字解釈用言語辞書に記録された文字を用いて、異国人として現地人と直接会話を交わすことなしに前記現地言語（未知の言語）で該現地人と自由に話すことが可能であるようなポータブル文字解釈用言語辞書に関するものである。ただし、観光客は旅行時に当該ポータブル文字解釈用言語辞書を持ち運ぶ必要がある。
【背景技術】
【０００２】
国際交流が頻繁なグローバル時代では、多国言語の駆使能力が強く必要とされる。しかし、数え切れないほどの世界言語を理解または優れた駆使能力を持つことはことはほとんど不可能であり、ほとんどの人間が理解できる外国言語は２〜３も及ばない。
【０００３】
よって、多くの問題点と国際商取引または観光事業における障害が現実的に存在する。
【０００４】
特定の国または地域で用いられている言語に加えて、英語が全世界で話されてはいるが、各地域または人種によってその発音、抑揚、ジェスチャーがそれぞれ異なるので、その言語（英語）を聞いただけで完全に意味を理解することは非常に困難である。
【０００５】
したがって、対話者が互いを正しく理解し合えなかったり、不正に理解してしまうケースが多く発生している。 特に世界言語としての英語は、観光客と現地人である対話者間で使用されているが、表現が適正でない場合には、やはり相互理解に達することができない。
【０００６】
前述の不便と欠陥を解決するため、通訳者を利用することが可能であるが、その場合の通訳料は高価であり、個人のプライバシーが侵害される可能性があり、さらに該通訳者が観光客と現地人のそれぞれの言語を駆使する能力がない場合は、やはり相互理解に達することができない。
【０００７】
また、対話者間の意思を伝達する上の欠陥を解決するために、最近ではポータブル電子通訳装置も開発されている。
【０００８】
これらの機器はイヤフォン、マイクロフォンとして機能するスピーカーまたはイヤフォン、およびデジタル通訳装置の双方向機能を具備しているので、特定国（第１者）言語が前記マイクロフォンを介して音声で前記通訳装置に伝送されると、前記音声はデジタル信号に変換されて文字を表示し、前記文字は第２者言語の文字に変換され、次いで、該文字は前記第２者言語の音声信号に変換され、該音声は前記スピーカーまたは前記イヤフォンを介して前記第２者に伝送される一方、前記第２者の言語もやはり逆の手順で前記マイクと前記デジタル通訳装置を介して音声前記に変換され、次いで該音声は前記スピーカーまたは前記イヤフォンに伝送される。
【０００９】
当該ポータブル電子通訳装置は便利かつ有用に使用可能である。
【００１０】
しかしながら、この機器は容易かつ一般的にレンタル利用することができず、高価格のために個人で購入することは容易にでない。 よって、当該電子通訳装置は現在まで一般化していない。
【００１１】
さらに、解釈・通訳機能は、インターネット、モバイル通信またはＰＤＡなどの情報および通信装置を通して得ることもできる。
【００１２】
それらの機能は利用されてはいるが、高価なレンタル料を支払う必要やコンピュータを使用する必要があるという不便と欠陥もある。
【００１３】
解釈・通訳におけるかかる不便と欠陥を解決するために、「ポータブル通訳ブック」が本発明の発明者によって開発かつ出願されており、韓国特許登録番号 １０-０４４７０２８として２００４年８月２５日に登録されている。
【００１４】
当該登録済みポータブル通訳ブックの頁は、図９に示すように、欄に記録された質問文字（質問文字欄と呼ぶ）１１と欄に記録された解答文字（解答文字欄と呼ぶ）１３とを前記ブックの頁である当該各カード１７の表裏面にそれぞれ有する前記ブックの頁としてのカード１７からなる基準カード束１０と、紙葉１７'としての当該各カードの表裏面に補足文字欄１５を有するカード１７'からなる補足カード束２０とを具備するものであって、当該各カードの表裏面に同一の意味を持つ異なる言語の文字、つまり、該表面には理解可能言語の文字、そして該裏面には現地（外国）言語の文字が記録されていることを特徴とするものである。
【００１５】
当該ポータブル通訳ブックが使用される際、カード１７、１７'において、質問と解答に必要な同一意味の文字を持つ異なる言語の記録済み文字が前記第２者に指し示される場合、前記第２者は質問または解答の意思を認識することができる。
【００１６】
しかしながら、当該通訳ブックでは豊富な語彙が記録されていないため、的確かつ十分な意思を伝達することができない。現に、前記質問文字欄１１に「どの品目にご興味をお持ちですか？」が記録され、前記解答文字欄１３に（１）衣服、（２）靴、（３）バッグ、（４）アクセサリーのみが記録されていると、購入者がメガネを買いたい場合、メガネは当該解答文字欄１３に記録されていないので、購入者は前記品目を購入できない。よって、当該通訳ブックは使い物にならない。
【発明の開示】
【課題を解決するための手段】
【００１７】
本発明は、汎用辞書を引くことができる常識を持つ者ならば誰でもが理解可能言語の文字を用いて意思を伝達できるという、文字による通訳用言語辞書を提供するものであって、ユーザーが優れた駆使能力を持つ言語（理解可能言語と呼ぶ）の単語または句を含めた文のすべてが英語のアルファベットのような順序または該順序に対応する類似順序に従って前記辞書に収納・配置されているか、または単語および句を含めた文のそれぞれが前記辞書のブック頁（頁と呼ぶ）上に別個に配置されていることを特徴とするとともに、前提条件として、当該の理解可能言語とは別に、現地言語（未知の言語）が配置され裏側に示されることを特徴とする。
【００１８】
対話者すなわち観光客と、前記現地人とが、本発明に係る当該解釈・通訳辞書を用いることで互いに理解し合うため、前記観光客が前記現地人に尋ねたいと思う言語の文字を指し示すと、現地人である前記第２者は、前記観光客によって指し示された当該文字とは別に裏面に記録された現地人の文字によって前記観光客の意思を認識することが可能であり、前記観光客の意思を認識した前記現地人は当該解釈・通訳辞書の裏面に記録されている解答のために必要な現地言語の文字を指し示すので、前記観光客は前記現地人の解答を認識することができる。
【００１９】
よって、前記対話者たちは会話を交わすことなしに互いに理解し合うことができる。
【発明を実施するための最良の形態】
【００２０】
カバー６、６ａ（表面カバーと裏面カバー）およびその頁が開閉のためにバインダー８によってバインディングされており、当該辞書の頁中に理解可能言語（ユーザー自身が理解可能言語）の文字と、前記現地言語（ユーザー自身が理解できない言語）が記録されていることを特徴とする文字によるポータブル通訳用言語辞書（ポータブル文字解釈用言語辞書と呼ぶ）であって、
当該文字解釈用言語辞書を構成する頁１が、当該頁部の束１'の各ブックリーフの表面２では、通訳用の理解可能言語のすべての文字３が、前記辞書の第１紙葉の表面２からその最終紙葉まで、単語または句を含めた文の区別なしに英語のアルファベットのような順序に従って設定されており、当該理解可能言語の文字３とは別に、前記理解可能言語の意味に対応する前記現地言語の文字（４）が裏側に示されるように設定されており、当該頁部の束１’の当該各ブックリーフの裏面（２ａ）では、前記辞書の最終紙葉の裏面（２ａ）からその第１紙葉の裏面（２ａ）まで、単語または句を含めた文の区別なしに英語のアルファベットのような順序に従って前記現地言語の文字（４）が設定されており、当該現地言語の文字（４）とは別に、当該現地言語の意味に対応する前記理解可能言語文字３が裏側に示されるように設定されている頁部の束１'によって構成されており、および
同一数字間で互いに裏側が示されるように数字が記録されている数字表示欄５と、金額単位または重量および測定値などの特殊条件が記録されている補遺９とが、前記辞書の表面と裏面のカバー６、６ａ内部に添付されているか、または
当該文字解釈用言語辞書を構成する頁１が、単語頁部１ａと文（句を含む）頁部１ｂとに分割されて、折りたたみ部７、７'を用いて開閉可能になっており、
当該単語頁部１ａを構成する各ブックリーフの表面２０では、当該理解可能言語の単語３０のみが、前記辞書の第１紙葉の表面２０からその最終紙葉の表面２０まで英語のアルファベットのような順序に従って設定されており、当該理解可能言語の単語３０とは別に、前記理解可能言語３０の意味に対応する前記現地言語の単語（４０）が裏側に示されるように設定されており、当該単語頁部１ａを構成する各ブックリーフの裏面２０'では、当該現地言語の単語（４０）のみが、前記辞書の最終紙葉の裏面２０'からその第１紙葉の裏面２０'まで英語のアルファベットのような順序に従って設定されており、当該現地言語の単語（４０）とは別に、当該現地言語の意味に対応する当該理解可能言語の単語３０が裏側に示されるように設定されており、および
当該文頁部１ｂを構成する各ブックリーフの表面２０ａでは、当該理解可能言語の文３０'のみが、前記辞書の第１紙葉の表面２０ａからその最終紙葉の表面２０ａまで英語のアルファベットのような順序に従って設定されており、当該理解可能言語の前記文３０'とは別に、当該理解可能言語の意味に対応する前記現地言語の文（４０'）が裏側に示されるように設定されており、当該文頁部１ｂを構成する各ブックリーフの裏面２０ａ'では、当該現地言語の句のみを含む文（４０'）が、前記辞書の最終紙葉の裏面２０ａ'からその第１紙葉の裏面２０ａ'まで英語のアルファベットのような順序に従って設定されており、当該現地言語の文（４０'）とは別に、当該理解可能言語の文３０'が裏側に示されるように設定されており、および、
同一数字間で互いに裏側が示されるように数字が記録されている数字表示欄５と、金額単位または重量および測定値などの特殊条件が記録されている補遺９とが、前記辞書の表面と裏面のカバー６、６ａ内部に添付されている。
【００２１】
上述の本発明のポータブル文字解釈用言語辞書では、前記辞書の所有者が優れた駆使能力を持つことができる言語の文字が、前記解釈・通訳辞書の当該頁部１'、１ａ、１ｂにおいて英語のアルファベットのような順序に従って異なる１０言語で裏側に示されるように設定されているので、辞書を引くことができる常識を持つ者ならば誰でも、旅行者の理解可能言語と旅行先地域の現地言語からなる本発明のポータブル文字解釈用言語辞書を用いることで、旅行先地域の現地人を自由に理解できるようになる。
【００２２】
よって、言語が異なる外国人間でも、本発明のポータブル文字解釈用言語辞書を用いることで、旅行、観光事業、または第２者との商取引に際しても相互理解ができるようになる。
【産業上の利用可能性】
【００２３】
本発明のポータブル文字解釈用言語辞書は、ハンドブックのように小型サイズであり、持ち運びが容易で、通訳に必要な文字の検索は汎用辞書を引く容易さで行うことができる。
【００２４】
よって、この辞書は旅行、観光事業または商取引中に外国人間の会話を行うことなしに、容易に通訳のために使用することができる。
【図面の簡単な説明】
【００２５】
【図１】本発明に係る辞書中のアルファベットのような順序に従って文字が設定されている頁部の束の表面を例示する図。
【図２】本発明に係る辞書中のアルファベットのような順序に従って文字が設定されている頁部の束の裏面を例示する図。
【図３（ａ）】本発明に係る辞書の一般的な表面斜視図を表す図。
【図３（ｂ）】本発明に係る辞書の一般的な裏面斜視図を表す図。
【図４】本発明に係る辞書の単語および文の文字が別個に設定されている頁部の表面を例示する図。
【図５】本発明に係る辞書の単語および文の文字が別個に設定されている頁部の裏面を例示する図。
【図６】本発明に係る辞書の単語および文の文字が別個に設定されている一般的な斜視図を表す図。
【図７】本発明に係る辞書に添付されている数字表示欄を表す図。
【図８】本発明に係る辞書に添付されている特殊条件が記録されている補遺を表す図。
【図９】解釈・通訳言語の従来型ポータブルコレクションが開発されている内部の斜視図を表す図。
【図１】
2008506985.tif 000003
【図２】
2008506985.tif 000004
【図３ａ】
2008506985.tif 000005
【図３ｂ】
2008506985.tif 000006
【図４】
2008506985.tif 000007
【図５】
2008506985.tif 000008
【図６】
2008506985.tif 000009
【図７】
2008506985.tif 000010
【図８】
2008506985.tif 000011
【図９】
2008506985.tif 000012